(57)【要約】【課題】 広告が埋め込まれた動画像コンテンツなどの複合コンテンツを移動式記憶媒体に入れて提供する広告方法を提供すること。【解決手段】  本発明による移動式記憶媒体は、起動コンテンツ及び広告情報コンテンツを保存するコンテンツ保存部と、前記コンテンツ保存部に保存された起動コンテンツファイルに前記広告情報コンテンツを埋め込んで再生可能な複合コンテンツを生成、起動する制御部と、外部端末との接続を行って前記複合コンテンツ情報を外部端末に転送するインタフェース部と、を備える、告情報が結合された複合コンテンツを含んでなる。【選択図】  図２
2018010404.tif 000002
【特許請求の範囲】
【請求項１】
起動コンテンツ及び広告情報コンテンツを保存するコンテンツ保存部（３００）と、
前記コンテンツ保存部に保存された起動コンテンツファイルに前記広告情報コンテンツを埋め込んで再生可能な複合コンテンツを生成、起動する制御部（２００）と、
外部端末との接続を行って前記複合コンテンツ情報を外部端末に転送するインタフェース部（１００）と、
を備える、広告情報が結合された複合コンテンツを含む移動式記憶媒体。
【請求項２】
前記コンテンツ保存部は、
動画像又は静止映像のうちの少なくとも一つ以上の起動起動コンテンツを含めて保存する起動コンテンツ保存部（３１０）と、
前記起動コンテンツファイルに埋め込まれる広告コンテンツを保存する広告情報保存部（３２０）と、
前記起動コンテンツファイルとマッチングされる翻訳コンテンツを保存する翻訳情報保存部（３３０）と、
を備える、請求項１に記載の広告情報が結合された複合コンテンツを含む移動式記憶媒体。
【請求項３】
前記制御部（２００）は、前記起動コンテンツ内に前記広告コンテンツを埋め込んで結合して起動可能な複合コンテンツを生成するファイル生成部（２１０）と、
前記複合コンテンツの起動に際して前記広告コンテンツの起動順序を決定して割り振る起動制御部（２２０）と、
前記起動コンテンツの内容とマッチングされる広告内容を分類し、前記起動コンテンツ内に結合される広告コンテンツ又は翻訳コンテンツの結合位置を決定するデータ管理部（２３０）と、
を備える、請求項２に記載の広告情報が結合された複合コンテンツを含む移動式記憶媒体。
【請求項４】
前記ファイル生成部（２１０）は、
前記起動コンテンツ内に前記広告コンテンツを埋め込んで結合するファイル合成部（２１１）と、
前記起動コンテンツにコンテンツ複製防止情報（ＤＲＭ）を結合する複製防止情報（ＤＲＭ）結合部（Ｄ）と、
を備える、請求項３に記載の広告情報が結合された複合コンテンツを含む移動式記憶媒体。
【請求項５】
前記複製防止情報（ＤＲＭ）結合部（Ｄ）は、
前記起動コンテンツに結合すべき複製防止情報（ＤＲＭ）を生成する複製防止情報（ＤＲＭ）生成部（２１２）と、
前記複製防止情報（ＤＲＭ）を前記起動コンテンツと同じフォーマットに変換する複製防止情報（ＤＲＭ）変換部（２１３）と、
前記起動コンテンツと複製防止情報（ＤＲＭ）を合成する複製防止情報（ＤＲＭ）合成部（２１４）と、
を備える、広告情報が結合された複合コンテンツを含む請求項４に記載の移動式記憶媒体。
【請求項６】
前記データ管理部（２３０）は、
前記起動コンテンツの内容とマッチングされる広告内容を分類して分類された広告内容とマッチングされるサブ広告をマッチングして提供するサブ広告マッチング部（２４０）を更に備える、請求項５に記載の広告情報が結合された複合コンテンツを含む移動式記憶媒体。
【請求項７】
前記サブ広告マッチング部（２４０）は、
提供される前記複合コンテンツを時間単位で場面別に区分して提供しようとする広告内容とマッチングされる場面にスポット広告画面を埋め込んで駆動する、請求項６に記載の広告情報が結合された複合コンテンツを含む移動式記憶媒体。
【請求項８】
前記サブ広告マッチング部（２４０）は、
前記サブ広告にインターネット接続のための統一資源位置指定子（ＵＲＬ）情報を更に含む、請求項７に記載の広告情報が結合された複合コンテンツを含む移動式記憶媒体。
【請求項９】
前記移動式記憶媒体は、
汎用直列バス（ＵＳＢ）である、請求項１乃至請求項８のうちのいずれか一項に記載の広告情報が結合された複合コンテンツを含む移動式記憶媒体。
【請求項１０】
移動式記憶媒体を外部端末に接続するステップと、
前記移動式記憶媒体に含まれる前記起動コンテンツに広告コンテンツが結合されて複合コンテンツを生成するステップと、
前記複合コンテンツが起動される場合、前記複合コンテンツのローディング前又は起動途中又は起動末尾に広告コンテンツが再生されるステップと、
前記複合コンテンツの起動途中に起動コンテンツの内容と類似度の高い製品の広告がマッチングされて更にサブ広告が再生されるステップと、
を含む、請求項７の複合コンテンツを含む移動式記憶媒体を用いた広告方法。
【請求項１１】
前記複合コンテンツを生成するステップは、
前記起動コンテンツにコンテンツ複製防止情報（ＤＲＭ）を結合することをさらに含む、請求項１０に記載の複合コンテンツを含む移動式記憶媒体を用いた広告方法。
【発明の詳細な説明】
【技術分野】
【０００１】
本発明は、広告が埋め込まれた動画像コンテンツなどの複合コンテンツを移動式記憶媒体に入れて提供する広告方法に関する。
【背景技術】
【０００２】
一般に、動画像広告では、特定の記憶媒体、例えば、コンパクトディスク（ＣＤ）などの手段を用いて特定の広報又は広告を行っている。上述した記憶媒体は、特定の業体の広報用品であり、小型化された構造を持たせて配給及び携帯し易いように構成されている。このような記憶媒体にデータベース化されたコンテンツに広告コンテンツを結合して保存する。
【０００３】
このため、ユーザが自分のパソコンを用いてデータベース（ＤＢ）コンテンツを視聴する間にユーザに広告コンテンツを同時に視聴覚させ、データベース（ＤＢ）コンテンツ及び広告コンテンツにハイパリンクされたネットワーク上の他のコンテンツを視聴覚させるか、又は、電子商取引過程を連動すると共に、広告コンテンツに露出されたことに対してユーザに所定の規則による補償をする広報、広告方法の一環として用いられる。
【０００４】
このような記憶媒体、すなわち、ＣＤ−ＲＯＭタイプの販促品を用いて電子カタログの機能を提供することにより、ユーザに役立つ独立した商品の役割を果たすデータベース（ＤＢ）コンテンツが結合されて有用なデータベース（ＤＢ）コンテンツを用いながらも広告に露出された代価として割引率の適用を受ける複合方式の電子商取引を誘導しているのである。
【０００５】
上述した記憶媒体の機能について説明すると、まず第一に、大容量媒体に役立つデータベース（ＤＢ）コンテンツ及び大容量の動画像広告コンテンツを提供し、第二に、ユーザがコンテンツの視聴のためにクリックなどの所定の動作をしたときに自動的にローディングされ、これと連動して付随的な情報を提供し、第三に、データベース（ＤＢ）コンテンツ及び動画像広告コンテンツを互いに連動させてデータベース（ＤＢ）コンテンツを利用しているときには動画像コンテンツが消えないようにして広告の露出を増大させ、第四に、データベース（ＤＢ）コンテンツ又は広告コンテンツに関連する複数のクイズを出題し、そのクイズの正解率が高ければ高いほど高い代価を払ったり、本発明を用いて商品又はサービスを購入するときに高い割引率の適用を受けるようにしたりする。
【０００６】
次いで、第五の機能は、データベース（ＤＢ）コンテンツ及び広告コンテンツに対する自動更新化過程であり、ユーザがコンテンツを利用するときに自動的に各コンテンツのプロバイダのホームページ又はウェブサイトに接続してコンテンツのバージョンで比較し、更新されたコンテンツを読み込んでユーザに視聴させ、第六に、ＣＰＵにあるチップの固有番号を認識してコンテンツと連動してユーザごとに固有番号を生成し、これを活用して電子商取引上の位置把握機能を提供する。
【０００７】
また、第七に、ユーザが広告に露出された量、データベース（ＤＢ）コンテンツに露出された量に比例して、又は所定の関数関係を有する確率で電子宝くじを生成してユーザのコンテンツの露出を誘導し、第八に、外部から提供された大容量の多数のコンテンツがユーザのハードディスクドライブ（ＨＤＤ）に組織的に保存されて、補償を管理するプログラムの援助を受けて全体の時間の間にユーザの広告の露出に対する補償を提供している。
【０００８】
しかしながら、上述したように、コンパクトディスク（ＣＤ）などの記憶媒体を用いた広告は、広告のコンテンツを問わずに、ユーザがコンパクトディスク（ＣＤ）などの記憶媒体を用いて当該コンテンツをディスプレイする媒体が制限され、その携帯性が低下して使い勝手が悪いものであり、広告に接するためのユーザの行為手続きが決して広告の実効を収められない原因として作用している。
【先行技術文献】
【特許文献】
【０００９】
【特許文献１】大韓民国公開特許第１０−２００９−０１１９２２１号公報
【発明の開示】
【発明が解決しようとする課題】
【００１０】
本発明の実施形態は、上述した課題を解消するために案出されたものであり、本発明の目的は、携帯し易い移動式記憶媒体内にスポーツレッスン、教育コンテンツなど様々な動画像又は静止映像のコンテンツを含めるが、起動されるコンテンツ内に様々な広告コンテンツが結合されて繰り返し再生及び視聴を通じて特定の製品及び企業イメージ広告をターゲティングされた顧客に提供して広告効果を極大化させることのできる記憶媒体及びこれを用いた広告方法を提供することにある。
【課題を解決するための手段】
【００１１】
上述した課題を解消するための手段として、本発明は、起動コンテンツ及び広告情報コンテンツを保存するコンテンツ保存部と、前記コンテンツ保存部に保存された起動コンテンツファイルに前記広告情報コンテンツを埋め込んで再生可能な複合コンテンツを生成、起動する制御部と、外部端末との接続を行って前記複合コンテンツ情報を外部端末に転送するインタフェース部と、を備える広告情報が結合された複合コンテンツを含む移動式保存媒体を提供する。これにより、移動式記憶媒体が有する特殊性からみて、繰り返し再生及び視聴を通じて特定の製品及び企業イメージ広告をターゲティングされた顧客に提供することができて広告効果を極大化させることができる。
【００１２】
また、本発明の実施形態では、上述した前記コンテンツ保存部は、動画像又は静止映像のうちの少なくとも一つ以上の起動コンテンツを含めて保存する起動コンテンツ保存部と、前記起動コンテンツファイルに埋め込まれる広告コンテンツを保存する広告情報保存部と、前記起動コンテンツファイルとマッチングされる翻訳コンテンツを保存する翻訳情報保存部と、を備えていてもよい。
【００１３】
更に、本発明の実施形態における前記制御部は、前記起動コンテンツ内に前記広告コンテンツを埋め込んで結合して起動可能な複合コンテンツを生成するファイル生成部と、前記複合コンテンツの起動に際して前記広告コンテンツの起動順序を決定して割り振る起動制御部と、前記起動コンテンツの内容とマッチングされる広告内容を分類し、前記起動コンテンツ内に結合される広告コンテンツ又は翻訳コンテンツの結合位置を決定するデータ管理部と、を備えていてもよい。
【００１４】
特に、本発明の実施形態では、前記ファイル生成部２１０は、前記起動コンテンツ内に前記広告コンテンツを埋め込んで結合するファイル合成部２１１と、前記起動コンテンツにコンテンツ複製防止情報（ＤＲＭ）を結合する複製防止情報（ＤＲＭ）結合部（Ｄ）と、を備えてコンテンツのセキュリティ性を強化させる。
【００１５】
この場合、上述した前記データ管理部は、前記起動コンテンツの内容とマッチングされる広告内容を分類して分類された広告内容とマッチングされるサブ広告をマッチングして提供するサブ広告マッチング部２４０を更に備えていてもよい。特に、前記サブ広告マッチング部は、提供される前記複合コンテンツを時間単位で場面別に区分して提供しようとする広告内容とマッチングされる場面にスポット広告画面を埋め込んで駆動してもよい。なお、前記サブ広告マッチング部は、前記サブ広告にインターネット接続のための統一資源位置指定子（ＵＲＬ）情報を更に含んでいてもよい。
【００１６】
上述した本発明による実施形態における前記移動式記憶媒体は、汎用直列バス（ＵＳＢ：Ｕｎｉｖｅｒｓａｌ Ｓｅｒｉａｌ Ｂｕｓ）を適用して下記の広告方法により実現されてもよい。
【００１７】
具体的には、移動式保存媒体を外部端末に接続するステップと、前記移動式保存媒体に含まれる前記起動コンテンツに広告コンテンツが結合されて複合コンテンツを生成するステップと、前記複合コンテンツが起動される場合、前記複合コンテンツのローディング前又は起動途中又は起動末尾に広告コンテンツが再生されるステップと、前記複合コンテンツの起動途中に起動コンテンツの内容と類似度の高い製品の広告がマッチングされて更にサブ広告が再生されるステップと、を含んで、上述した本発明の実施形態である複合コンテンツを含む移動式記憶媒体を用いた広告方法により実現されてもよい。
【発明の効果】
【００１８】
本発明によれば、携帯し易い移動式記憶媒体内にスポーツレッスン、教育コンテンツなど様々な動画像又は静止映像のコンテンツを含めるが、起動されるコンテンツ内に様々な広告コンテンツが結合されて繰り返し再生及び視聴を通じて特定の製品及び企業イメージ広告をターゲティングされた顧客に提供して広告効果を極大化させることができるという効果がある。
【００１９】
特に、提供される起動コンテンツと結合される広告コンテンツを起動コンテンツの主題や画面にディスプレイされる製品と類似度別にマッチングしてスポット広告などの形式で提示して広告の効果を極大化させる。
【００２０】
更に、携帯性を有する単品形式の製品を特定の顧客に提供することができるが、移動式記憶媒体に保存される起動コンテンツ及び広告コンテンツの提供がユーザの関心度と一致又は類似する目標顧客を対象として広告することができるので、不特定多数ではなく、核心、見込顧客又はターゲットとなる対象顧客に提供して広報効果を極大化させることもできる。
【図面の簡単な説明】
【００２１】
【図１ａ】図１ａは、本発明の実施形態による移動式記憶媒体を構成する構成要素のブロック図である。
【図１ｂ】図１ｂは、本発明の実施形態による移動式記憶媒体を構成する構成要素のブロック図である
【図２】図２は、本発明の実施形態による移動式記憶媒体を用いた広告の実現例を示すイメージである。
【図３】図３は、本発明の実施形態による移動式記憶媒体を用いた広告の実現例を示すイメージである。
【図４ａ】図４ａは、本発明の実施形態による移動式記憶媒体を用いた広告の実現例を示すイメージである。
【図４ｂ】図４ｂは、本発明の実施形態による移動式記憶媒体を用いた広告の実現例を示すイメージである。
【図５ａ】図５ａは、本発明の実施形態による移動式記憶媒体を用いた広告の実現例を示すイメージである。
【図５ｂ】図５ｂは、本発明の実施形態による移動式記憶媒体を用いた広告の実現例を示すイメージである。
【図６】本発明の実施形態による移動式記憶媒体を用いた広告の実現例を示すイメージである。
【発明を実施するための形態】
【００２２】
以下では、添付図面に基づいて本発明による構成及び作用について詳細に説明する。添付図面に基づいて説明するに当たって、図面符号とは無関係に、同じ構成要素には同じ参照符号を付し、これについての重複する説明は省略する。第１、第２などの用語は、様々な構成要素を説明するのに使用可能であるが、前記構成要素は、前記用語により限定されてはならない。前記用語は、ある構成要素を他の構成要素から区別するために用いられる。
【００２３】
図１ａ及び図１ｂを参照すると、本発明の実施形態による広告情報が結合された複合コンテンツを含む移動式記憶媒体（以下、「本発明」と称する。）は、起動コンテンツ及び広告情報コンテンツを保存するコンテンツ保存部３００と、前記コンテンツ保存部に保存された起動コンテンツファイルに前記広告情報コンテンツを埋め込んで再生可能な複合コンテンツを生成、起動する制御部２００と、外部端末との接続を行って前記複合コンテンツ情報を外部端末に転送するインタフェース部１００と、を備えていてもよい。
【００２４】
すなわち、本発明は、移動式記憶媒体に含まれる動画像や静止映像などの起動コンテンツ内に広告コンテンツを結合して広告効果を高めるように実現され、特に、提供される起動コンテンツの内容と広告コンテンツの内容をマッチングして広告効率をなお一層極大化させる。
【００２５】
本発明による移動式記憶媒体は、携帯可能な様々なメモリ素子を有する装備を通称するものであり、これは、商用化された様々なディスク（ＣＤ）構造物だけではなく、外付け型ハード装備（ＳＳＤ：Ｓｏｌｉｄ Ｓｔａｔｅ Ｄｒｉｖｅ）、汎用直列バス（ＵＳＢ：Ｕｎｉｖｅｒｓａｌ Ｓｅｒｉａｌ Ｂｕｓ）など外部装備に結合して内部のコンテンツを起動する分離型記憶媒体を意味する。以下では、汎用直列バス（ＵＳＢ）を適用して実現する場合一実施形態として説明する。特に、本発明の移動式記憶媒体は、外部端末と結合される構造で起動ファイルを起動するが、外部端末と結合可能なインタフェース部１００を備えることが更に好ましい。
【００２６】
本発明における前記コンテンツ保存部３００は、前記移動式記憶媒体内に保存される様々な動画像、静止映像などのメイン起動コンテンツ（以下、「起動コンテンツ」と称する。）を保存し、且つ、前記起動コンテンツに結合する様々な広告情報及び起動コンテンツ内にディスプレイされる関連製品と関連するサブ広告を保存することが好ましい。また、前記起動コンテンツの音声情報及びテキスト情報とマッチングされる外国語翻訳情報が含まれる翻訳コンテンツを保存することが更に好ましい。このために、前記コンテンツ保存部は、動画像又は静止映像のうちの少なくとも一つ以上の起動コンテンツを含めて保存する起動コンテンツ保存部３１０を備え、且つ、前記起動コンテンツファイルに埋め込まれる広告コンテンツを保存する広告情報保存部３２０及び前記起動コンテンツファイルとマッチングされる翻訳コンテンツを保存する翻訳情報保存部３３０を備えることが更に好ましい。また、図示はしないが、本発明における移動式記憶媒体は、所定の容量のＮＡＮＤ（否定論理積）又はＮＯＲ（否定論理和）メモリにより構成され、任意の情報を保存するためのフラッシュメモリを備え、前記コンテンツ保存部３００は、このようなフラッシュメモリの一部の空間を割くか、又は、別途のメモリ構造に実現される。
【００２７】
前記起動コンテンツ保存部３１０に保存される起動コンテンツは、ゴルフ、ビリヤード、スキー、テニスなど様々なスポーツと関連する教育動画像や静止動画像、英語会話、韓国語会話、観光情報、ドラマ、映画などの学習動画像や静止動画像などその種類を問わず、ユーザの営業や事業目的に応じて特定の顧客層をターゲットとしてそれに最適なコンテンツを任意に選択して保存してもよい。これは、携帯性を有する単品形式の製品を特定の顧客に提供することができるが、移動式記憶媒体に保存される起動コンテンツ及び広告コンテンツの提供がユーザの関心度と同一又は類似の目標顧客を対象として広告することができるので、不特定多数ではなく、核心又は見込顧客に提供して広報効果を奏するためである。
【００２８】
前記広告情報保存部３２０は、様々な広告コンテンツを保存するものであり、大きく、広告を頼む外部のクライアントが提供する一般的な広告コンテンツ及び上述した起動コンテンツと関連するターゲット製品に対する広告であるサブ広告コンテンツを含めて保存してもよい。前記一般的な広告コンテンツは、金融、教育、スポーツ、ファッション、食品などジャンルを問わずに上述した起動コンテンツに埋め込まれる構造に実現される通常の広告物（動画像、静止映像、テキスト、イメージなど）を意味する。
【００２９】
また、前記サブ広告コンテンツは、起動コンテンツ、例えば、ゴルフ動画像である場合、ゴルフ用品と関連する広告、特定の起動コンテンツの画面において特定の製品を用いてレッスンを続けている場合、（例えば、「ドライバ」の飛距離を伸ばすレッスンの場面）、ドライバ製品の広告コンテンツ（スポット広告形式や一般テキスト、イメージ露出広告）であり、起動コンテンツと関連する広告を意味する。
【００３０】
前記翻訳情報保存部３３０は、前記起動コンテンツの起動に際して露出される音声やテキストに対する外国語翻訳音声又はテキスト（字幕）を含むものであり、英語、日本語、中国語、アラブ語、ドイツ語などマーケティング顧客の対象に応じて様々なタイプの翻訳コンテンツが起動コンテンツと結合できるようにして使い勝手を高めると共に、広告効果を言語的な側面で広げることができる。
【００３１】
前記制御部２００は、前記起動コンテンツ内に前記広告コンテンツを埋め込んで結合して起動可能な複合コンテンツを生成するファイル生成部３１０と、前記複合コンテンツの起動に際して前記広告コンテンツの起動順序を決定して割り振る起動制御部２２０と、前記起動コンテンツの内容とマッチングされる広告内容を分類し、前記起動コンテンツ内に結合される広告コンテンツ又は翻訳コンテンツの結合位置を決定するデータ管理部２３０と、を備える。
【００３２】
前記ファイル生成部３１０は、上述した起動コンテンツ保存部３１０に保存された起動コンテンツに広告情報保存部３２０から提供される広告コンテンツを結合して広告が結合されたコンテンツ（以下、「複合コンテンツ」と称する。）を生成する機能を行う。この場合、前記広告コンテンツは、起動コンテンツの起動前に起動されるか、又は、起動コンテンツの中間又は末尾に埋め込んで結合して起動されるように結合してもよい。
【００３３】
特に、本発明の実施形態では、前記ファイル生成部３１０は、前記起動コンテンツ内に前記広告コンテンツを埋め込んで結合するファイル合成部２１１と、前記起動コンテンツにコンテンツ複製防止情報（ＤＲＭ：Ｄｉｇｉｔａｌ Ｒｉｇｈｔｓ Ｍａｎａｇｅｍｅｎｔ、以下、「ＤＲＭ」と称する。）を結合する複製防止情報（ＤＲＭ）結合部（Ｄ）と、を備える。すなわち、教育関連コンテンツ、又は学習、レッスン関連コンテンツなど起動コンテンツに複製防止マークを埋め込んで結合して不法複製を防ぐか、又は、専用コンテンツプレイヤのみを用いてディスプレイする。
【００３４】
このために、本発明による前記複製防止情報（ＤＲＭ）結合部（Ｄ）は、図１ｂに示すように、前記起動コンテンツに結合すべき複製防止情報（ＤＲＭ）を生成する複製防止情報（ＤＲＭ）生成部２１２と、前記複製防止情報（ＤＲＭ）を前記起動コンテンツと同じフォーマットに変換する複製防止情報（ＤＲＭ）変換部２１３及び前記起動コンテンツ及び複製防止情報（ＤＲＭ）を合成する複製防止情報（ＤＲＭ）合成部２１４を備える。
【００３５】
前記複製防止情報（ＤＲＭ）生成部２１２は、上述した起動コンテンツと関連して、コンテンツの使い方、コンテンツの使用に当たっての制限条件及び暗号化方法、暗号化キー、暗号化キーの長さなど情報を生成してもよい。
【００３６】
前記複製防止情報（ＤＲＭ）変換部２１３は、前記複製防止情報（ＤＲＭ）生成部（２１２）において生成された複製防止情報（ＤＲＭ）を前記起動コンテンツと同じフォーマットの複製防止情報（ＤＲＭ）コンテンツに変換する。前記起動コンテンツのフォーマットは、静止映像、動画像、音のうちのいずれか一つにより構成されるが、これと結合すべき複製防止情報（ＤＲＭ）もこれに対応するように変換してもよい。
【００３７】
前記複製防止情報（ＤＲＭ）合成部２１４は、前記起動コンテンツと同じフォーマットの複製防止情報（ＤＲＭ）コンテンツに変換された複製防止情報（ＤＲＭ）をウォータマーキング技法でデジタルコンテンツに合成して複製防止情報（ＤＲＭ）コンテンツを生成してもよい。
【００３８】
上述したように、本発明による起動コンテンツ及び複製防止情報（ＤＲＭ）の合成は、下記の方式により実現されてもよい。例えば、本発明による起動コンテンツが音コンテンツである場合、前記複製防止情報（ＤＲＭ）変換部２１３は、音形式の複製防止情報（ＤＲＭ）コンテンツを前記起動コンテンツにサウンドウォータマーキング技法で合成する。前記音形式の複製防止情報（ＤＲＭ）コンテンツは、人間の耳によく聞こえない音情報の形式で生成されるため、人間は、たとえ前記複製防止情報（ＤＲＭ）コンテンツが合成されても、それによる音の変化を感じられず、これは、本発明による起動コンテンツの専用再生装置から音声認識方法により取り出される。
【００３９】
一方、前記起動コンテンツが静止映像コンテンツである場合、前記複製防止情報（ＤＲＭ）変換部２１３は、静止映像形式の複製防止情報（ＤＲＭ）コンテンツを前記起動コンテンツにイメージウォータマーキング技法で合成する。前記静止映像形式の複製防止情報（ＤＲＭ）コンテンツもまた、人間の目に良く見えないイメージの形式で生成されるため、人間は、たとえ前記複製防止情報（ＤＲＭ）コンテンツが合成されても、それによるイメージ形式の変化をほとんど感じられず、これは、前記音形式のコンテンツでのように、起動コンテンツの専用再生装置から映像認識方法により取り出される。
【００４０】
また、前記起動コンテンツが動画像コンテンツである場合には、上述したように、複製防止情報（ＤＲＭ）が静止映像の形式に変換されるため、変換された静止映像形式のコンテンツが前記動画像の各フレームにイメージウォータマーキング形式で合成される。
【００４１】
このように、本発明による起動コンテンツには、複製防止情報（ＤＲＭ）がデジタルコンテンツと同じフォーマットに変換されてウォータマーキング技法により合成されるため、悪意を持ったユーザが記複製防止情報（ＤＲＭ）を削除しようとする場合や、操作された複製防止情報（ＤＲＭ）で上書きしようとする場合には、合成された原コンテンツそれ自体が毀損されるか、又は、本発明による起動コンテンツ専用再生装置において複製防止情報（ＤＲＭ）が認識されない。このため、本発明による場合、合成された複製防止情報（ＤＲＭ）の削除及び操作が行えなくなる。
【００４２】
また、上述した本発明による複合コンテンツの起動順序と関連して、前記起動制御部２２０では、動画像の再生に際して、コンテンツに優先して広告データが再生されるように指示するか、又は、起動コンテンツの再生後に広告データが再生されるようにして再生順序を決定して制御する機能を行う。
【００４３】
更に、前記データ管理部２３０は、起動コンテンツに結合する翻訳コンテンツや一般的な広告コンテンツの場合、結合するテキストやイメージ広告結合などの結合位置を決定する。例えば、広告データを動画像コンテンツファイルの頭部及び中間、末尾部分に含める機能を行ってもよい。
【００４４】
また、前記サブ広告マッチング部２４０は、前記広告情報保存部３２０に保存されるサブ広告コンテンツと前記起動コンテンツの内容を比較して、設定された特定の時間や映像地点に関連製品と関連度の高い広告を結合してもよい。
【００４５】
例えば、起動コンテンツの内容と類似するか、又は、主題場面がマッチングされる広告の内容をスポットとしてポップアップ表示するか、又は提供される起動コンテンツを時間単位で場面別に区分して提供しようとする広告内容とマッチングされる場面の後ろに約１〜２秒間スポット広告画面を埋め込んで駆動するように実現されてもよい。これは、一般ドラマの視聴時に見られる間接広告と略同様に提供されて繰り返し視聴する起動コンテンツに提供しようとする広告とマッチングされる場面又は提供しようとする時点に短いスポット広告を埋め込んで消費者が見るのに邪魔にならないように実現することが更に好ましい。
【００４６】
この場合、サブコンテンツには統一資源位置指定子（ＵＲＬ）アドレスを含めて、たとえ起動コンテンツの動作中であっても、図１における外部端末４００が有無線で通信可能な広告サービスサーバ（ウェブサーバを含む）と連動して当該製品の販売サイトや情報サイトに接続できるように実現することも可能である。この場合、前記外部端末４００は、本発明による移動式記憶媒体のインタフェース部と接続して複合コンテンツを起動してディスプレイするモジュールを有するコンピュータ、携帯用ディスプレイ装置、ナビゲーション、モバイル機器などディスプレイ画面を有する装備を通称する概念である。また、前記外部端末４００は、移動式記憶媒体と結合して接続される場合、接続を認知し、その結果によるプラグアンドプレイモジュールを起動するように実現されることが好ましい。或いは、通常の汎用直列バス（ＵＳＢ）の接続時の汎用直列バス（ＵＳＢ）エージェントポップアップ画面を用いて汎用直列バス（ＵＳＢ）メモリ内に保存された情報を確認し、クリック過程を通じて当該複合コンテンツを確認したり起動したりすることも可能である。
【００４７】
以下では、図１による本発明の移動式記憶媒体を実際に実現する実現例について図２から図５に基づいて説明する。
【００４８】
図２を参照すると、これは、本発明の実施形態による移動式記憶媒体を外部端末に結合して複合コンテンツを起動する実際の例示イメージを示すものである。同図に示すように、本発明による移動式記憶媒体（以下では、汎用直列バス（ＵＳＢ）を適用する場合を例にとって説明する。）である汎用直列バス（ＵＳＢ）をディスプレイ装置に接続して当該複合コンテンツが起動される過程を示すものである。
【００４９】
図２に示すものは、起動コンテンツとして「ゴルフレッスン」を選定して実現したものであり、起動コンテンツの起動前に一般広告コンテンツＣ １がローディングされて起動された後、起動コンテンツが起動（Ｃ ２）される。すなわち、広告の起動順序を起動コンテンツの起動前に、且つ、コンテンツの末尾に起動（Ｃ ４）されるように配置して複合コンテンツを実現したものである。この場合、起動コンテンツの内容に見合う翻訳テキスト３３１が結合されるようにして様々な言語で提供可能であり、これは、音声ファイルの結合も可能であるということはいうまでもない。なお、現在起動中のゴルフレッスン動画像に用いられるクラブ（アイアン又はドライバなど）と関連するスポット広告２４２がサブ広告コンテンツとして露出されるようにしてもよい。
【００５０】
図３に示すものは、起動コンテンツＤ １〜Ｄ ３として「ゴルフレッスン」を選定し、広告コンテンツの結合を起動コンテンツの末尾Ｄ ４、Ｄ ５に配置したものである。すなわち、本発明の実施形態では、広告を希望する広告主の意思や顧客（ターゲットとなる顧客）の好みに応じて一般的なコンテンツや特定の製品に対するサブ広告コンテンツを埋め込むことが可能である。
【００５１】
図４ａに示すものは、図１において上述したサブ広告マッチング部２４０の機能を説明するための作用状態図である。起動コンテンツは、上述したように、ゴルフレッスン動画像を例にとって説明すると、起動コンテンツＥ １が起動され続ける場合、レッスン過程においてドライバクラブに対するレッスンが行われる時間（又は、フレーム）に当該ドライバに関する情報や関連製品の情報をマッチングして露出させてもよい。これは、ドライバクラブのレッスンに高い関心を持っている顧客が手軽に関連製品に関する情報を視覚的に確認するように露出させて広告効果をなお一層高めることができる。このようなサブ広告の露出方式は、図４ａに示すように、関連製品のカテゴリ別の広告をまとめて露出させる方式（Ｅ ２）であってもよいが、図４ｂに示すように、現在使用中のクラブに関する情報のみにより構成された単一製品のターゲティング露出方式（Ｅ  ３）により実現されてもよく、クラブ別（クラブの種類別）に露出させることも可能である。
【００５２】
図５ａ及び図５ｂは、図４ａや図４ｂにおいて露出された製品に関する詳細情報をコンピュータやタッチパネルディスプレイ装備においてクリックする場合、詳細情報を有する別途のサブ広告の内容を分割画面（図５ａ）や重複画面（図５ｂ）などの方式で露出させることを示すものである。この場合、サブ広告の内容に含まれている統一資源位置指定子（ＵＲＬ）などの情報がある場合には、当該広告サーバやウェブページに直ちに接続することもできる。
【００５３】
また、このような関連商品の広告は、図６に示すように、起動コンテンツに含まれるゴルフバッグにより構成されるか、又は、衣類、履物、帽子、進行中のゴルフ場などに多様化されるということはいうまでもない。
【００５４】
したがって、本発明の実施形態によれば、手軽に携帯し易い汎用直列バス（ＵＳＢ）などが記憶媒体に広告が内蔵された複合コンテンツを入れて（実現しようとする技術が含まれている）広告主の製品とコンテンツユーザの関心度が一致するか、又は、関心度が類似する目標顧客を対象として広告できるようにして、核心又は見込顧客に提供して広報効果を極大化させることができるというメリットがある。
【００５５】
上述した本発明による移動式記憶媒体の本実施形態において用いられる「〜部」という用語は、ソフトウェア、フィールドプログラマブルゲートアレイ（ＦＰＧＡ）又は特定用途向け集積回路（ＡＳＩＣ）などのハードウェア構成要素を意味し、「〜部」はある役割を果たす。しかし、「〜部」は、ソフトウェア又はハードウェアに限定される意味ではない。「〜部」は、アドレッシング可能な記憶媒体にあるように構成されてもよく、一つ又はそれ以上のプロセッサを再生するように構成されてもよい。したがって、例えば、「〜部」は、ソフトウェア構成要素、客体志向ソフトウェア構成要素、クラス構成要素及びタスク構成要素などの構成要素と、プロセス、関数、属性、プロシージャ、サブルーチン、プログラムコードのセグメント、ドライバ、フォームウェア、マイクロコード、回路、データ、データベース、データ構造、テーブル、アレイ及び変数を含む。構成要素及び「〜部」内において提供される機能は、より少ない数の構成要素及び「〜部」に結合されるか、又は、さらなる構成要素及び「〜部」に更に分離されるだけではなく、構成要素及び「〜部」は、デバイス又はセキュリティマルチメディアカード内の一つ又はそれ以上の中央演算装置（ＣＰＵ）を再生するように実現されてもよい。
【００５６】
上述したような本発明の詳細な説明の欄では、具体的な実施形態について説明した。しかしながら、本発明の範囲から逸脱しない範囲内において種々に変形可能である。本発明の技術的思想は、本発明の記述された実施形態に限定されて定められてはならず、特許請求の範囲だけではなく、この特許請求の範囲と均等なものにより定められるべきである。
【符号の説明】
【００５７】
１００：インタフェース部
２００：制御部
２１０：ファイル生成部
２２０：起動制御部
２３０：データ管理部
２４０：サブ広告マッチング部
３００：コンテンツ保存部
３１０：起動コンテンツ保存部
３２０：広告情報保存部
３３０：翻訳情報保存部
【図１ａ】
2018010404.tif 000003
【図１ｂ】
2018010404.tif 000004
【図２】
2018010404.tif 000005
【図３】
2018010404.tif 000006
【図４ａ】
2018010404.tif 000007
【図４ｂ】
2018010404.tif 000008
【図５ａ】
2018010404.tif 000009
【図５ｂ】
2018010404.tif 000010
【図６】
2018010404.tif 000011